(57)【要約】【課題】地震などによる化粧ブロック塀の倒壊を防止することができる、化粧ブロック塀倒壊防止支柱を提供する。【解決手段】本発明に係る化粧ブロック塀倒壊防止支柱は、布基礎２上に縦横に配列して形成する化粧ブロック３積みをする過程において、縦筋６に接続部材８を挿入固定し、その接続部材８と楔１１を用いて、鋼管支柱１を坪掘り１３した地面に中吊り状に立設せしめ、鋼管支柱内に鋼管内モルタル１４を注入し坪掘り１３部分に充満させて、鋼管支柱１とモルタル基礎１５を一体として構築することを特徴とする。化粧ブロック塀倒壊防止支柱。【選択図】  図１
2008196182.tif 000002
【特許請求の範囲】
【請求項１】
布基礎上に縦横に配列して形成する化粧ブロック積みをする過程において、縦筋に接続部材を接続し、その接続部材と楔を用いて、鋼管支柱を坪掘りした地面に中吊り状に立設せしめ、鋼管支柱内にモルタルを注入し坪掘り部分に充満させて、鋼管支柱とモルタル基礎を一体として構築することを特徴とする、化粧ブロック塀倒壊防止支柱。
【請求項２】
前記、鋼管支柱のモルタル基礎部分に複数の孔を設けて、モルタルを注入することで鋼管支柱とモルタル基礎がより強固に一体化することを特徴とする、化粧ブロック塀倒壊防止支柱。
【請求項３】
化粧ブロックの縦筋に挿入固定した複数の孔を有した接続部材に、鋼管支柱を挿入し、楔孔に楔を打ち込み、鋼管支柱内にモルタルを注入して固定することを特徴とする、化粧ブロック塀倒壊防止支柱。
【請求項４】
布基礎上に縦横に配列して形成された化粧ブロック塀の縦目地と横目地の交差する部分に孔を設けて、複数の孔を有したボルト付き接続部材を固定して、鋼管支柱を坪掘りした地面に中吊り状に立設せしめ、鋼管支柱内にモルタルを注入し坪掘り部分に充満させて、鋼管支柱とモルタル基礎を一体として構築することを特徴とする、化粧ブロック塀倒壊防止支柱。
【請求項５】
前記、接続部材とボルト付き接続部材に設けられた鉄筋孔に、モルタル基礎に到達する鉄筋をぶら下げて、鋼管支柱内にモルタルを注入し坪掘り部分に充満させて、鋼管支柱とモルタル基礎を一体として構築することを特徴とする、化粧ブロック塀倒壊防止支柱。
【請求項６】
前記、鋼管支柱のモルタル基礎部分に設けた複数の孔に串筋を挿入して、布基礎部分にアンカーを取り付けることを特徴とする、化粧ブロック塀倒壊防止支柱の工法。
【発明の詳細な説明】
【技術分野】
【０００１】
本発明は、地震などによって化粧ブロック塀が倒壊するのを防止するための化粧ブロック塀倒壊防止支柱に関する。
【背景技術】
【０００２】
従来の布基礎上に縦横に配列して形成する化粧ブロック塀は一般の家屋など、敷地の境界区画として広く構築されている。しかしながらブロック厚みの中央を鉄筋で補強したもので、地震に弱いことは周知の通りである。
【０００３】
上記、地震などの外力によって簡単に倒壊しない構造が提案されている。一例として挙げれば、「ブロック塀補強構造」（特許文献１）が紹介できる。
【０００４】
【特許文献１】特許公開２００７−３２１２４
【発明の開示】
【発明が解決しようとする課題】
【０００５】
特許文献１に記載された「ブロック塀補強構造」は円管状の支柱を地面に立設しただけのもので、引き抜きの力に対してブロック塀との強力な接合が要求される問題があった。また、ブロック塀の構築には美的感覚が要求されているため、支柱とブロック塀の間に板材を介在させてボルトによる結合には美的感覚的に問題があった。
【０００６】
他方従来の「コンクリートブロック塀の倒れ防止のための構造」などについても、既設のブロック塀の倒れ防止のための提案であり、新設されるブロック塀の構築に使用されるものではない。
【０００７】
本発明は、前記の課題に鑑み、新しく構築される化粧ブロック塀にも使用できる、化粧ブロック塀倒壊防止支柱を提供するものである。
【課題を解決するための手段】
【０００８】
前記の課題を解決するため、本発明に係る化粧ブロック塀倒壊防止支柱は、布基礎上に縦横に配列して形成する化粧ブロック積みをする過程において、縦筋に接続部材を接続し、その接続部材と楔を用いて、鋼管支柱を坪掘りした地面に中吊り状に立設せしめ、鋼管支柱内にモルタルを注入し坪掘り部分に充満させて、鋼管支柱とモルタル基礎を一体として構築することを特徴とする。このような構成とすることで、従来通り化粧ブロック塀を構築して、最終の工程として化粧ブロック塀倒壊防止支柱の取り付けが可能となり、施工効率を高めるとともに低コストが実現できる。
【０００９】
請求項２に係る、前記、鋼管支柱のモルタル基礎部分に複数の孔を設けて、モルタルを注入することで鋼管支柱とモルタル基礎がより強固に一体化することを特徴とする。この構成により鋼管支柱とモルタル基礎は一体となりより強固になる。
【００１０】
請求項３に係る、化粧ブロックの縦筋に挿入固定した複数の孔を有した接続部材に、鋼管支柱を挿入し、楔孔に楔を打ち込み、鋼管支柱内にモルタルを注入して固定することを特徴とする。この構成により楔が鋼製でも錆びることもなく、より強固に固定できる。
【００１１】
請求項４に係る、布基礎上に縦横に配列して形成された化粧ブロック塀の縦目地と横目地の交差する部分に孔を設けて、複数の孔を有したボルト付き接続部材を固定して、鋼管支柱を坪掘りした地面に中吊り状に立設せしめ、鋼管支柱内にモルタルを注入し坪掘り部分に充満させて、鋼管支柱とモルタル基礎を一体として構築することを特徴とする。この構成にすることで既設化粧ブロック塀の化粧ブロック塀倒壊防止支柱となる。
【００１２】
請求項５に係る、前記、接続部材やボルト付き接続部材に設けられた鉄筋孔に、モルタル基礎に到達する鉄筋をぶら下げて、鋼管支柱内にモルタルを注入し坪掘り部分に充満させて、鋼管支柱とモルタル基礎を一体として構築することを特徴とする。このような構成とすることで、化粧ブロック塀と化粧ブロック塀倒壊防止支柱は強固に固定できる。
【００１３】
請求項６に係る、前記、鋼管支柱のモルタル基礎部分に設けた複数の孔に串筋を挿入して、布基礎部分にアンカーを取り付けることを特徴とする、このような構成とすることで、鋼管支柱のモルタル基礎と布基礎が強固に一体となる。
【発明の効果】
【００１４】
本発明により、化粧ブロック塀の最大の欠点である、地震などによる倒壊を防止することが、容易にかつ敏速に構築できる。また、既設の化粧ブロック塀の地震などによる倒壊防止にも使用できる化粧ブロック塀倒壊防止支柱を提供することができる。
【００１５】
本発明は、近年発生が危惧されている大地震に備えて、化粧ブロック塀の倒壊を防止するために提案する、化粧ブロック塀倒壊防止支柱は従来の工法と比較して比較的短工期、低コストで構築できる。特筆すべき発明の効果は新しく構築する化粧ブロック塀に使用できることである。
【発明を実施するための最良の形態】
【００１６】
以下、本発明の実施の形態を図面に基づき詳細に説明する。
【００１７】
図1〜図２は本発明の実施の形態を示したものであり、図1は化粧ブロック塀倒壊防止支柱を用いて構築する第一実施断面図、図2は化粧ブロック塀倒壊防止支柱を既設塀に用いた第二実施断面図、図3は図１、図２における敷地内側立面図、図4は図１に係る結合部の縦断面詳細図、図５は図１に係る結合部の横断面詳細図、図６は図２に係る結合部の縦断面詳細図、図７は図２に係る結合部の縦断面詳細図である。
【００１８】
以下、本発明の実施の形態を説明する。図１は化粧ブロック塀倒壊防止支柱を用いて構築する第一実施断面図で、布基礎２上に、補強配筋は縦筋６を一枚毎に、横筋７は二段毎にいれて、化粧ブロック３をモルタル１７で積み重ねて構築をする。四段目（段数を限定するものではない）上で縦筋６に接続部材８を挿入固定して化粧ブロック３の構築後、鋼管支柱１を坪掘り１３した地面に中吊り状に立設し、楔１１で固定した鋼管支柱１内に鋼管内モルタル１４を注入し坪掘り１３部分に充満させて、鋼管支柱１とモルタル基礎１５を一体として構築をする。鋼管支柱１とモルタル基礎１５をより強固にするため布基礎２にボルト２４を固定している。
【００１９】
図２は化粧ブロック塀倒壊防止支柱を既設塀に用いた第二実施断面図で、布基礎２上に縦横に配列して形成された、既設の化粧ブロック３塀の四段目（段数を限定するものではない）の縦目地１８と横目地１９の交差部分に孔を開け、ボルト付き接続部材２０を化粧ナット２１で固定をして、鋼管支柱１を坪掘り１３した地面に中吊り状に立設し、楔１１で固定した鋼管支柱１内に鋼管内モルタル１４を注入し坪掘り１３部分に充満させて、鋼管支柱１とモルタル基礎１５を一体として構築をする。鋼管支柱１とモルタル基礎１５をより強固にするため布基礎２にボルト２４を固定している。
【００２０】
図３は図１、図２における敷地内側立面図で、布基礎２上に縦横に配列して形成された化粧ブロック３と縦目地１８、横目地１９、笠木４、鋼管支柱１を示した敷地内側立面図である。
【００２１】
図４は図１に係る、結合部の縦断面詳細図で、化粧ブロック３の縦筋６に接続部材８を挿入固定して鋼管支柱１を楔１１で固定した結合部の縦断面詳細図である。
【００２２】
図５は図１に係る、結合部の横断面詳細図で、図４の横断面詳細図である。
【００２３】
図６は図２に係る、結合部の縦断面詳細図で、既設の化粧ブロック３塀の縦目地１８と横目地１９の交差部分に孔を開け、ボルト付き接続部材２０を化粧ナット２１で固定をして鋼管支柱１を楔１１で固定した結合部の縦断面詳細図である。
【００２４】
図７は図２に係る、結合部の縦断面詳細図で、図６の横断面詳細図である。
【００２５】
以上、本発明は化粧ブロック塀倒壊防止支柱を丸鋼管支柱として図示してきたが、形状や寸法、材質を限定するものではない、例えば、一体成型したものなど状況に応じて適宜選択されるものである。
【図面の簡単な説明】
【００２６】
【図１】化粧ブロック塀倒壊防止支柱を用いて構築する第一実施断面図である。
【図２】化粧ブロック塀倒壊防止支柱を既設塀に用いた第二実施断面図である。
【図３】図１、図２における敷地内側立面図である。
【図４】図１に係る結合部の縦断面詳細図である。
【図５】図１に係る結合部の横断面詳細図である。
【図６】図２に係る結合部の縦断面詳細図である。
【図７】図２に係る結合部の縦断面詳細図である。
【符号の説明】
【００２７】
鋼管支柱
布基礎
化粧ブロック
笠木
キャップ
縦筋
横筋
接続部材
楔孔
鉄筋孔
楔
鉄筋
坪掘り
鋼管内モルタル
モルタル基礎
串筋
モルタル
縦目地
横目地
ボルト付き接続部材
化粧ナット
孔
ホールインアンカー
ボルト
【図１】
2008196182.tif 000003
【図２】
2008196182.tif 000004
【図３】
2008196182.tif 000005
【図４】
2008196182.tif 000006
【図５】
2008196182.tif 000007
【図６】
2008196182.tif 000008
【図７】
2008196182.tif 000009